(57)【要約】【課題】可動框や受け枠の構造を有効に利用して掛留め具を装着し、それにより部品数が少なく、コストを低減させた開閉用可動框の掛留め装置を提供する。【解決手段】可動框１２及び受け枠１３は、それらの対向面側における対向側壁２３，２４に、それぞれ互いに対向する凸壁２３ａ，２４ａを有するものとする。可動框における上記対向する凸壁２３ａに取り付ける掛留め具３０の本体部材３１は、長手方向両端に取付脚板３２を設け、該取付脚板と取付片３３とで上記凸壁２３ａを挟んでそれらをねじ止めすることにより固定する。該本体部材には、受け枠１３における上記凸壁２４ａに対して回転により掛留めされる掛合子３６を回転自在に支持させ、該掛合子にはそれを回転させる操作子３８を設け、該操作子を本体部材の側方に突出させる。【選択図】        図１
2004197368.tif 000002
【特許請求の範囲】
【請求項１】
開閉用可動框とそれが当接する受け枠の間に設けてそれらを掛留めるための掛留め装置であって、
上記可動框及び受け枠は、それらの対向面側における長手方向に沿う開口の対向側壁に、それぞれ互いに対向する凸壁を有するものとし、
上記可動框あるいは受け枠における上記対向する凸壁に取り付ける掛留め具の本体部材は、長手方向両側に取付部を備え、該取付部を、上記対向する凸壁への係着によって固定する固定手段により、該凸壁に着脱可能に固定し、
該本体部材には、それに対向する受け枠あるいは可動框における上記凸壁に対して回転により掛留めされる掛合子を、回転自在に支持させ、
上記掛合子にはそれを回転させる操作子を設け、該操作子を本体部材の側方に突出させている、
ことを特徴とする開閉用可動框の掛留め装置。
【請求項２】
本体部材の取付部を凸壁へ係着により固定する固定手段が、該取付部を構成する取付脚板と別設の取付片とで上記対向する凸壁を挟んでそれらをねじ止めする手段である、
ことを特徴とする請求項１に記載の開閉用可動框の掛留め装置。
【請求項３】
本体部材の取付部を凸壁へ係着により固定する固定手段が、該取付部を構成する本体部材の取付孔に対して回転自在に嵌入される係着部材によって構成され、該係着部材が、上記取付孔内における回転により上記凸壁への係着位置と非係着位置とに転位自在であって、係着位置において本体部材を凸壁に固定する係止部を有している、
ことを特徴とする請求項１に記載の開閉用可動框の掛留め装置。
【請求項４】
掛留め具の本体部材を取り付けた可動框あるいは受け枠における該本体部材の上下に、該本体部材と外形断面が略同形のカバーを取り付け、該カバーを、可動框と受け枠の接合時に、上記本体部材が取り付けられていない受け枠または可動框の対向面側における長手方向に沿う開口内に嵌挿されるものとした、
ことを特徴とする請求項１〜３のいずれかに記載の開閉用可動框の掛留め装置。
【請求項５】
掛留め具が可動框に取り付けられている、
ことを特徴とする請求項１〜４のいずれかに記載の開閉用可動框の掛留め装置。
【請求項６】
本体部材に回転自在に支持させた掛合子を回転させる操作子を、本体部材の側方に設けた開口を通して該本体部材から突出させている、
ことを特徴とする請求項１〜５のいずれかに記載の開閉用可動框の掛留め装置。
【請求項７】
掛留め具の本体部材を上下対称形に形成し、該本体部材の上下を反転させることにより、操作子が突出する側を変更可能にした、
ことを特徴とする請求項１〜６のいずれかに記載の開閉用可動框の掛留め装置。
【発明の詳細な説明】
【０００１】
【発明の属する技術分野】
本発明は、収納式の網戸や、遮光、断熱等のためのスクリーン装置における開閉用可動框の掛留め装置に関するものである。
【０００２】
【従来の技術】
収納式の網戸や、遮光、断熱等のためのスクリーン装置においては、開閉用可動框に掛留め装置を設けて、ネットやスクリーンの張設時にその掛留め装置を受け枠に係合させるようにしている（例えば、特許文献１または２等を参照）。
【０００３】
しかしながら、上記公知の開閉用可動框の掛留め装置では、一般的に、可動框や受け枠の構造を有効に利用しているとは言えず、そのため、構造が複雑化して部品点数が多くなり、また、掛留め具を可動框や受け枠に取り付けるに際して、それらの可動框や受け枠に取り付けのための加工が必要であり、そのため、網戸やスクリーン装置の使用者が後付けで掛留め具を取り付けるのが困難であるばかりでなく、可動框や受け枠に掛留め具を一旦取り付けると、その取付位置を変更するときに上記加工部分がきずとして外部に現れることもあるために、該取付位置の変更も困難であり、同様にして該掛留め具の操作子をネットやスクリーンの内外いずれかの側に変更することも困難である。
【０００４】
【特許文献１】
実公平２−１４１７号公報
【特許文献２】
特開平８−９３３６１号公報
【０００５】
【発明が解決しようとする課題】
本発明の技術的課題は、可動框や受け枠の構造を有効に利用して掛留め具を装着し、それによって構造を簡単化して部品数を少なくし、コストを低減させるようにした開閉用可動框の掛留め装置を提供することにある。
本発明の他の技術的課題は、掛留め具を可動框や受け枠に取り付けるに際し、可動框や受け枠の構造を有効に利用してそれらに取り付けのための加工の必要をなくし、更に、掛留め具を取り付けない方の受け枠または可動框には何らの加工や取り付けの必要をもなくし、それにより、網戸やスクリーン装置の使用者が後付けで掛留め具を容易に取付可能にすると共に、可動框や受け枠に掛留め具を一旦取り付けた後の取付位置の変更、該掛留め具の操作子の突出側の変更を簡単且つ容易にした開閉用可動框の掛留め装置を提供することにある。
本発明の他の技術的課題は、上記掛留め具を、工具を用いることなく簡単に可動框または受け枠に着脱できるようにした開閉用可動框の掛留め装置を提供することにある。
【０００６】
【課題を解決するための手段】
上記課題を解決するため、本発明は、開閉用可動框とそれが当接する受け枠の間に設けてそれらを掛留めるための掛留め装置であって、上記可動框及び受け枠は、それらの対向面側における長手方向に沿う開口の対向側壁に、それぞれ互いに対向する凸壁を有するものとし、上記可動框あるいは受け枠における上記対向する凸壁に取り付ける掛留め具の本体部材は、長手方向両側に取付部を備え、該取付部を、上記対向する凸壁への係着によって固定する固定手段により、該凸壁に着脱可能に固定し、該本体部材には、それに対向する受け枠あるいは可動框における上記凸壁に対して回転により掛留めされる掛合子を、回転自在に支持させ、上記掛合子にはそれを回転させる操作子を設け、該操作子を本体部材の側方に突出させていることを特徴とするものである。
【０００７】
上記掛留め装置の好ましい実施形態においては、本体部材の取付部を凸壁へ係着により固定する固定手段として、該取付部を構成する取付脚板と別設の取付片とで上記対向する凸壁を挟んでそれらをねじ止めする手段を採用し、あるいは、上記固定手段が、取付部を構成する本体部材の取付孔に対して回転自在に嵌入される係着部材によって構成され、該係着部材が、上記取付孔内における回転により上記凸壁への係着位置と非係着位置とに転位自在であって、係着位置において本体部材を凸壁に固定する係止部を有するものとして構成される。
【０００８】
また、上記本発明の掛留め装置の好ましい実施形態においては、掛留め具の本体部材を取り付けた可動框あるいは受け枠における該本体部材の上下に、該本体部材と外形断面が略同形のカバーを取り付け、該カバーを、可動框と受け枠の接合時に、上記本体部材が取り付けられていない受け枠または可動框の対向面側における長手方向に沿う開口内に嵌挿するものとして構成される。
上記掛留め具は、通常、可動框に取り付けられるものである。
【０００９】
更に、本発明の好ましい実施形態においては、本体部材に回転自在に支持させた掛合子を回転させる操作子を、本体部材の側方に設けた開口を通して該本体部材から突出させ、また、掛留め具の本体部材を上下対称形に形成し、該本体部材の上下を反転させることにより、操作子が突出する側を変更可能に構成される。
【００１０】
上記構成を有する開閉用可動框の掛留め装置は、可動框と受け枠との対向面側における長手方向に沿う開口の対向側壁に、それぞれ互いに対向する凸壁を設け、これらの凸壁を利用して掛留め具の本体部材を係着すると共に、掛合子を掛留めするようにしているので、掛留め具自体の構造及びその取付構造が簡単化されて、部品数を少なくし、コストを低減させることができる。
【００１１】
また、上記掛留め装置においては、掛留め具における本体部材の長手方向両端に取付部を備え、該取付部を、上記対向する凸壁への係着によって固定する固定手段により、該凸壁に着脱可能に固定し、具体的には、該固定手段として、取付脚板と取付片とで対向する凸壁を挟んでねじ止めするという手段を用い、あるいは、本体部材の取付孔に回転自在に嵌入する上記固定手段としての係着部材を、上記凸壁への係着位置と非係着位置とに転位自在にして、本体部材を凸壁に固定するようにしているので、該本体部材及び可動框や受け枠にそれらを取り付けるための加工の必要がなく、更に、それに対向する受け枠あるいは可動框の凸壁に直接掛合子を掛留めするようにしているので、その受け枠あるいは可動框にも何らの加工を必要としない。
【００１２】
しかも、上述したように可動框や受け枠に何らの加工や取り付けを必要としないので、網戸やスクリーン装置の使用者が後付けで掛留め具を容易に取り付けることができ、可動框や受け枠に掛留め具を一旦取り付けた後の取付位置の変更、該掛留め具の操作子の突出側の変更も簡単且つ容易に行うことができる。
【００１３】
また、特に、上記本体部材の取付部を凸壁へ係着により固定する固定手段を、本体部材の取付孔に対して回転自在に嵌入される係着部材によって構成し、該係着部材を、上記取付孔内における回転により上記凸壁への係着位置と非係着位置とに転位自在であって、係着位置において本体部材を凸壁に固定する係止部を有するものとした場合には、上記掛留め具の本体部材を、工具等を用いることなく簡単に可動框または受け枠に着脱でき、しかも、カバーを装着したままで掛止め具を着脱できるので、操作子の向きの変更等ばかりでなく、掛留め装置の組立に際してもその作業性が改善される。
【００１４】
【発明の実施の形態】
図１〜図６は、本発明に係る開閉用可動框の掛留め装置の第１実施例を示している。
この掛留め装置は、収納式の網戸や、遮光、断熱等のためのスクリーン装置における開閉用可動框と、ネットやスクリーンの張設時にその可動框が当接する受け枠の間に設けて、それらを掛留めるために使用されるものであるが、図では、収納式の網戸において使用する場合を例示している。
【００１５】
図１及び図２は、上記掛留め装置を備えた網戸１におけるネットの張設状態及び同ネットの収納状態を示すもので、該ネット１０の一端を保持する主縦枠１１と、該ネット１０の他端を保持する開閉用の可動框１２と、該ネット１０の張設時に可動框１２が当接する受け枠１３とを備え、上記主縦枠１１と受け枠１３とを、図示しない上横枠及び下横枠１５によって連結し、上記可動框１２の上下端をこれらの横枠によって摺動自在にガイドさせている。そして、該可動框１２にそれを受け枠１３に掛留める掛留め具３０を取り付けている。
なお、図１及び図２では、該掛留め具３０を可動框１２に取り付けた場合を示しているが、それを受け枠１３に取り付けることもできる。また、上記下横枠１５は必要がなければ省略される。
【００１６】
上記ネット１０は、交互に反対方向に折曲して、アコーディオン状に折り畳まれるように形成したもので、その一端を保持する上記主縦枠１１には、対向する一対の側壁１７によって形成される長手方向の口部の内奥に、該ネット１０の端部に固定した固定板２０を係合させる一対の係合凸部１７ａを対向配置し、これらの係合凸部１７ａに上記固定板２０の両側端を係合させて、図示しない固定子により固定している。
【００１７】
一方、上記可動框１２には、該主縦枠１１と同様に、対向する一対の側壁１８によって形成されるところの、主縦枠１１側に向けた長手方向の口部の内奥に、ネット１０の端部に固定した固定板２１を係合させる一対の係合凸部１８ａを対向配置し、これらの係合凸部１８ａに上記固定板２１の両側端を係合させて、図示しない固定子により固定している。
そして、図２に示すようなネット１０の折り畳み状態において、上記主縦枠１１における一対の側壁１７間に形成される空間１７ｂと、可動框１２の一対の側壁１８間に形成される空間１８ｂとによって形成される空間部は、折り畳んだネット１０の収容に必要な大きさに形成され、折り畳み時のネットが収容される。
【００１８】
また、上記可動框１２における受け枠１３との対向面側、及び受け枠１３における可動框１２との対向面側には、それぞれ対向する各一対の対向側壁２３及び対向側壁２４によって形成されるところの、長手方向に沿う開口を設け、これらの開口において、該対向側壁２３及び対向側壁２４の各内側に、それぞれ互いに対向する凸壁２３ａ，２４ａを設けている。これらの凸壁２３ａ，２４ａは、以下に説明する掛留め具３０との関連において設けられたものである。
なお、可動框１２における対向側壁２３の開口縁には、後述するカバー２７の取付縁２６を設けている。
【００１９】
上記可動框１２に取り付ける前記掛留め具３０は、図１〜図６に詳細に示すように、該可動框１２の取付縁２６に当接させて取り付ける本体部材３１を備え、この本体部材３１の長手方向両側に可動框１２に対する取付部を設けている。この実施例の場合、該取付部は、本体部材の両端にそれぞれ設けた取付脚板３２によって形成され、また、該取付部を可動框１２に固定する固定手段としては、該取付脚板３２と別設の取付片３３とで可動框１２における上記対向側壁２３の内側の一対の凸壁２３ａを挟んで、止めねじ３４によりそれらをねじ止めすることにより（図６参照）、該凸壁２３ａに固定するようにしている。そのため、本体部材３１の固定には可動框１２に何らの加工も必要としない。
【００２０】
上記掛留め具３０の本体部材３１を取り付けた可動框１２における該本体部材３１の上下には、図３及び図４から分かるように、該本体部材３１と外形断面が略同形のカバー２７を、可動框１２の溝状をなす取付縁２６に嵌挿して取り付けている。上記本体部材３１は、上述したように、取付脚板３２と取付片３３とで可動框１２の対向側壁２３内側の凸壁２３ａを挟んで止めねじ３４により固定しているので、その固定位置を上下任意の位置に設定できるものであり、この場合に、上記カバー２７は溝状をなす取付縁２６に嵌挿して取り付けるようにしているため、該カバー２７は、本体部材３１の位置を固定したうえでその上下の可動框１２の長さに適合させて取付縁２６に嵌着すればよい。
上記カバー２７は、可動框１２と受け枠１３の接合時に、該受け枠１３における一対の対向側壁２４間の開口内に嵌挿され、両者の接合時の隙間を無くすものである。
【００２１】
上記本体部材３１には、それに対向する受け枠１３の対向側壁２４内側の対向凸壁２４ａに対して掛留めされる掛合子３６を、回転自在に支持させている。この掛合子３６は、図２から分かるように、それが可動框１２の長手方向に沿う向きにあるときは、受け枠１３における一対の対向側壁２４内側面の対向する凸壁２４ａ間を通して挿入可能な巾を有し、該凸壁２４ａ間を通過した後には、図１に示すように、回転により該凸壁２４ａに対して掛留めされるようにしている。
【００２２】
上記掛合子３６の回転のため、掛合子３６の回転軸の先端の角軸部３７（図６参照）には、それを回転させるためのハンドル状の操作子３８を取り付け、該操作子３８を本体部材３１の側方に設けた開口３１ａを通して該本体部材３１から外部に突出させている。
図５の（Ａ）は、上記操作子３８により掛合子３６を非掛留め位置に保持した状態を、同図（Ｂ）は、操作子３８の操作により掛合子３６を掛留め位置に保持した状態を示している。
また、図６において、符号４０は本体部材３１の裏蓋、４１は該裏蓋４０を本体部材３１に固定する止めねじ、４３は操作子３８を掛合子３６に固定するための止めねじ、４０ａは裏蓋４０における該止めねじ４３の挿脱孔である。
【００２３】
上記掛留め具３０は、その本体部材３１を上下対称形に形成している。そのため、該本体部材３１の上下を反転させて可動框１２に取り付けることにより、操作子３８が突出する側を網戸の内側または外側に変更することができる。しかも、上記本体部材３１の反転の操作は、止めねじ３４の螺脱により凸壁２３ａを挟んでいる本体部材３１の取付脚板３２と取付片３３とを外し、本体部材３１を上下反転して止めねじ３４による該本体部材３１の固定を行えばよい。
【００２４】
図７〜図１０は、本発明に係る掛留め装置の第２実施例を示している。
上記第１実施例と同様の可動框１２における対向する一対の凸壁２３ａに取り付ける第２実施例の掛留め具５０は、その本体部材５１の長手方向両側における取付部として、以下に説明するような係着部材５３を回転自在に嵌入する取付孔５２を設けている。この取付孔５２は、その内側周囲に上記係着部材５３の外壁部５３ａが当接する段部５２ａを有しているが、その段部５２ａの内側に長手方向に向く長孔５２ｂを設けたものである。
【００２５】
一方、上記凸壁２３ａへの係着によって本体部材５１を固定する固定手段として、この第２実施例では、該凸壁２３ａに着脱可能に係着する係着部材５３を用い、それを上記取付孔５２に回転自在に嵌入している。この係着部材５３は、上述したように、取付孔５２の段部５２ａに当接する外壁部５３ａを備え、また、取付孔５２内の長孔５２ｂを通して挿入されて上記凸壁２３ａに係止する係止部５３ｂと、可動框の対向側壁２３の外端に当接する当接板部５３ｃとを備えている。
【００２６】
上記係着部材５３における係止部５３ｂ及び当接板部５３ｃは、対向位置に切除部５４ｂ及び５４ｃを有し、それらの切除部５４ｂ，５４ｃが長孔５２ｂの長手方向に向いている図７及び図９の（Ｂ）の状態では、本体部材５１の長孔５２Ｂ及び凸壁２３ａ間を通して係止部５３ｂ及び当接板部５３ｃを挿入できるが、上記取付孔５２内において係着部材５３を９０°回転させると、図８及び図９の（Ａ）に示すように、係止部５３ｂが上記凸壁２３ａに係止すると共に、当接板部５３ｃが可動框１２の対向側壁２３の外端に当接し、特に上記凸壁２３ａに対する係止部５３ｂの係止により、本体部材５１が可動框１２に固定される。
【００２７】
また、上記係着部材５３の外壁部５３ａの外面には摘みを兼ねた凸条５３ｄを設け、係着部材５３が図８及び図９（Ａ）に示すような回転位置（係着位置）にあるときには、その凸条５３ｄが可動框１２の長手方向に向いてカバー２７の外面や本体部材５１の外面に設けた凸条と一連のものとなるようにしている。従って、係着部材５３が図７及び図９（Ｂ）に示すような回転位置（非係着位置）にあるときには、それらの図に示すように上記凸条５３ｄは可動框１２の長手方向と直交する方向を向くことになる。
【００２８】
上記構成を有する掛留め装置は、図７に示す状態から係着部材５３を取付孔５２に挿入して、図９（Ｂ）に示す状態にしてから回転させ、それによって該係着部材５３を図９（Ａ）の係着位置まで転位させると、係止部５３ｂが凸壁２３ａに係止することにより、本体部材５１が可動框１２に固定される。逆に、その状態から係着部材５３を図９（Ｂ）の非係着位置まで回転させると、該係着部材を取付孔５２から抜き出すことができ、本体部材５１を取外すことができる。
なお、上記本体部材５１に設ける掛合子及び操作子は、前記第１実施例と変るところがないので、図に同一符号を付してそれらの説明は省略する。
【００２９】
このような第２実施例の掛留め具を用いると、掛留め具自体の構造及びその取付構造が簡単化され、前記第１実施例の場合と同様に、少ない部品により低コストで提供でき、本体部材及び可動框や受け枠に取り付けのための加工等を必要としないのは勿論であるが、それに加えて、凸条５３ｄを摘みとして係着部材５３を回転させることにより、工具等を用いることなく、本体部材５１を簡単に可動框１２に着脱でき、しかも、第１実施例のように狭い空間で取付片３３を止めねじ３４で着脱するような操作が不必要になるために著しく作業性に優れ、また、図１０から分かるように、カバー２７を装着したままで掛止め具５０を着脱できるので、操作子３８の向きの変更ばかりでなく、掛留め装置の組立の際の作業性も改善される。
【００３０】
なお、上記第２実施例のその他の構成及び作用は第１実施例の場合と変わるところがないので、その説明を省略する。
また、上記各実施例では、掛留め具３０，５０を可動框１２に取り付けた場合を示しているが、それを受け枠１３に取り付けることもでき、その場合には、可動框１２及び受け枠１３の形状を、掛留め具３０，５０の装着や掛合子３６の掛留めに適する形状にすることが必要である。
【００３１】
【発明の効果】
以上に詳述した本発明の開閉用可動框の掛留め装置によれば、可動框や受け枠の構造を有効に利用して掛留め具を装着しているので、構造を簡単化して部品数を少なくし、コストを低減させることができる。
また、上記開閉用可動框の掛留め装置によれば、掛留め具を可動框等に取り付けるに際し、その取り付けのための加工の必要をなくしているので、網戸やスクリーン装置の使用者が後付けで上記掛留め具を容易に取り付けることができ、掛留め具を一旦取り付けた後の取付位置の変更、該掛留め具の操作子の突出側の変更も簡単且つ容易に行うことができる。
【図面の簡単な説明】
【図１】本発明に係る第１実施例の掛留め装置を備えた網戸におけるネットの張設状態の平断面図である。
【図２】同ネットの収納状態の平断面図である。
【図３】掛留め具を可動框に装着した状態の斜視図である。
【図４】図３の可動框にカバーを装着した状態の斜視図である。
【図５】（Ａ）は上記掛留め具の掛合子が非掛留め位置にある状態を、（Ｂ）は掛合子が掛留め位置にある状態を示す斜視図である。
【図６】上記掛留め具の分解斜視図である。
【図７】本発明に係る第２実施例の掛留め装置における本体部材の装着態様を示す斜視図である。
【図８】同装着状態を示す斜視図である。
【図９】（Ａ）は係着位置にある係着部材による本体部材の装着状態を、（Ｂ）は該係着部材が非係着位置にある状態を示す上記第２実施例の断面図である。
【図１０】本体部材の上下を反転させる態様を説明するための要部分解斜視図である。
【符号の説明】
１０    ネット
１２    可動框
１３    受け枠
２３，２４    対向側壁
２３ａ，２４ａ    凸壁
２７    カバー
３０，５０    掛留め具
３１，５１    本体部材
３１ａ  開口
３２    取付脚板
３３    取付片
３６    掛合子
３８    操作子
【図１】
2004197368.tif 000003
【図２】
2004197368.tif 000004
【図３】
2004197368.tif 000005
【図４】
2004197368.tif 000006
【図５】
2004197368.tif 000007
【図６】
2004197368.tif 000008
【図７】
2004197368.tif 000009
【図８】
2004197368.tif 000010
【図９】
2004197368.tif 000011
【図１０】
2004197368.tif 000012